(57)【要約】【課題】グライドスライドドア装置のコンパクト化を図る。【解決手段】グライドスライドドア装置は、親扉２０と子扉１０とを備えており、子扉１０が親扉２０に重なるようにスライドすると共に、当該重なった子扉１０および親扉２０がアームによりグライドするグライドスライドドア装置１である。このグライドスライドドア装置１は、無目３０内に固定されている横梁３０Ａと、横梁３０Ａに設けられる直動レール３１と、直動レール３１に沿って走行する荷重支持ローラ４６と、荷重支持ローラ４６と子扉１０を連結するドアハンガ４０と、を含む。【選択図】図４
2014025248.tif 000002
【特許請求の範囲】
【請求項１】
親扉と子扉とを備え、前記子扉が前記親扉に重なるようにスライドすると共に、当該重なった前記子扉および前記親扉がアームによりグライドするグライドスライドドア装置であって、
無目内に固定されている横梁と、
前記横梁に設けられる第１レールと、
前記第１レールに沿って走行する第１戸車と、
前記第１戸車と子扉とを子扉の戸先側において回動自在に連結するドアハンガと、を含むことを特徴とする、グライドスライドドア装置。
【請求項２】
前記親扉を揺動させるための第２レールと、
前記第２レールに沿って走行する第２戸車と、
前記第２戸車と前記子扉とを連結する揺動用連結アームと、をさらに含むことを特徴とする、請求項１に記載のグライドスライドドア装置。
【請求項３】
前記第２レールは、直線部と曲線部とからなり、前記直線部から前記曲線部へ移行する位置は、前記子扉が揺動を開始する場合における前記第２戸車の位置よりも戸先側に設けられたことを特徴とする請求項１または２に記載のグライドスライドドア装置。
【請求項４】
前記親扉の吊元の動きを規制する第１のロック機構と、
前記親扉の戸先の動きを規制する第２のロック機構と、
前記戸先側から移動した前記子扉が前記親扉と重なったときに、前記第１および第２のロック機構による当該規制を解除することを可能とするロック解除機構と、をさらに含むことを特徴とする、請求項１から３のいずれか１項に記載のグライドスライドドア装置。
【請求項５】
前記子扉および前記親扉が重なって前記アームにより閉方向にグライドし、前記子扉および前記親扉の仮想回転円の接線上に、前記子扉および前記親扉が位置する際に、前記親扉に開方向の外力が加わっても前記親扉の移動位置を保持させる従動アームをさらに含むことを特徴とする請求項１から４のいずれか１項に記載のグライドスライドドア装置。
【請求項６】
前記ドアハンガには、ベルト方式、ワイヤ方式、ラックアンドピニオン方式、ボールスクリュー方式およびリニアモータ方式のいずれかの自動ドア開閉装置の駆動力が伝達されることを特徴とする、請求項４に記載のグライドスライドドア装置。
【請求項７】
前記自動ドア開閉装置と前記ドアハンガとは、戸先側にオフセットした位置で連結されることを特徴とする、請求項６に記載のグライドスライドドア装置。
【請求項８】
前記親扉には、前記子扉をガイドする第１ガイド部が、当該親扉の戸先側に設けられ、
前記子扉には、前記親扉をガイドする第２ガイド部が、当該子扉の戸尻側に設けられることを特徴とする、請求項１から７のいずれか１項に記載のグライドスライドドア装置。
【請求項９】
前記子扉の下端部には、脱着可能な第３ガイド部がさらに設けられ、前記子扉の進行方向に沿って、前記第３ガイド部を保持する第３レールが設けられたことを特徴とする請求項１から８のいずれか１項に記載のグライドスライドドア装置。
【発明の詳細な説明】
【技術分野】
【０００１】
本発明は、建物に設けられるグライドスライドドア装置に関する。
【背景技術】
【０００２】
間口が狭く、戸袋に要するスペースを確保できない場所に利用され、開き戸と引き戸の長所を組合せたグライドスライドドア装置（特許文献１：特開２００３−３０１６５６号公報）が公知である。また、グライドスライドドア装置は、グライドドア装置とも呼ばれる。
【０００３】
上記特許文献１（特開２００３−３０１６５６号公報）に記載されるグライドスライドドア装置では、隣接する一方の扉体ユニットに設けたガイド部に他方の扉体ユニットに設けた被ガイド部を係合して各扉体ユニットが連結されている。上記したガイド部は、複数のガイド溝であり、被ガイド部は、複数のガイド溝に夫々係合するローラである。そして、扉体ユニットの上下位置には、支持アームが枢着されており、吊元端の扉体ユニットが支持アームの回動端部において水平回動自在となっている。
【先行技術文献】
【特許文献】
【０００４】
【特許文献１】特開２００３−３０１６５６号公報
【発明の概要】
【発明が解決しようとする課題】
【０００５】
しかしながら、上記した特許文献１に係るグライドスライドドア装置では、吊元側の扉体ユニットに戸先側の扉体ユニットをスライド自在にする構造である。そのため、吊元側の扉体ユニットには、戸先側の扉体ユニットの荷重の略全てが吊元側の扉体ユニットに加わる。結局、これらの荷重は当該支持アームに加わることになる。
【０００６】
さらに、戸先側の扉体ユニットが吊元側の扉体ユニットから突出している場合は、大きなモーメント荷重が当該支持アームに加わる。そのため、吊元側の扉体ユニットおよび支持アームを大型化且つ頑丈な構造にする必要がある。したがって、この種のグライドスライドドア装置のコンパクト化が難しかった。
また、コンパクト化を行うことにより、グライド時またはスライド時に戸先側および吊元側の扉体ユニットの揺動を抑制することが困難となる。
【０００７】
そこで、本発明の目的は、扉体ユニットからなるグライドスライドドア装置のコンパクト化を図ることである。
本発明の他の目的は、扉体ユニットからなるグライドスライドドア装置のコンパクト化を図るとともに、吊元側および戸先側の扉体ユニットの揺動を抑制することである。
【課題を解決するための手段】
【０００８】
（１）
本発明に係るグライドスライドドア装置は、親扉と子扉とを備え、子扉が親扉に重なるようにスライドすると共に、当該重なった子扉および親扉がアームによりグライドするグライドスライドドア装置であって、無目内に固定されている横梁と、横梁に設けられる第１レールと、第１レールに沿って走行する第１戸車と、第１戸車と子扉とを子扉の戸先側において回動自在に連結するドアハンガと、を含む。
【０００９】
上記構成によれば、子扉の重量の一部を横梁で保持することができるので、子扉の重量の一部を支える親扉に加わる負荷、並びに、親扉及び子扉をグライドさせるアームに加わる負荷（垂直荷重およびモーメント荷重）を小さくすることができる。
【００１０】
これにより、親扉またはアームの強度を高くする必要が無いので、親扉およびアームのコンパクト化を図ることができる。その結果、グライドスライドドア装置のコンパクト化を図ることが可能となる。
特に、子扉が親扉に対して突出している状態にあるときは、アームに非常に大きなモーメントが加わることになるが、上記構成によれば、子扉の重量の一部をドアハンガにより子扉側で保持することができるので、アームに発生するモーメントの大きさが小さくなる。これにより、アームなどの強度を抑えることができるので、アームなどのコンパクト化を図ることができる。
【００１１】
（２）
上記したグライドスライドドア装置において、親扉を揺動させるための第２レールと、第２レールに沿って走行する第２戸車と、第２戸車と子扉とを連結する揺動用連結アームと、をさらに含む。
【００１２】
上記構成によれば、第２戸車が第２レールに沿って走行することによって、揺動用連結アームと連結する子扉が揺動する。そうすると、子扉の揺動に伴って親扉も揺動する。すなわち、子扉をスライドさせるだけで、子扉および親扉を揺動させることが可能となる。
【００１３】
（３）
上記したグライドスライドドア装置において、第２レールは、直線部と曲線部とからなり、直線部から曲線部へ移行する位置は、子扉が揺動を開始する場合における第２戸車の位置よりも戸先側に設けられたものである。
【００１４】
上記構成によれば、直線部から曲線部へ移行する位置が、各部材間の隙間を無視した場合における、機構学的に定まる位置よりも戸先側に設けられている。そのため、子扉を揺動させるために機構学的に定まる円弧よりも大きな円弧に沿って子扉を揺動させることができる。その結果、子扉の移動する曲率が小さくなり、子扉および親扉の揺動が緩やかになり、揺動時の衝撃音等の発生を抑制し、子扉および親扉の揺動を円滑に行うことができる。さらに実際には各部材間にはわずかながら隙間が存在するため、子扉のスライド動作時においても、例えば第2レールと第2戸車とが干渉するなど悪影響を与えることがない。
【００１５】
（４）
上記したグライドスライドドア装置において、親扉の吊元の動きを規制する第１のロック機構と、親扉の戸先の動きを規制する第２のロック機構と、戸先側から移動した子扉が親扉と重なったときに、第１および第２のロック機構による当該規制を解除することを可能とするロック解除機構とをさらに含んでもよい。
【００１６】
上記構成によれば、第１のロック機構および第２のロック機構により、親扉の戸先側および吊元側の揺動を規制することができるので、子扉のスライド時に親扉の動きを規制することができる。また、親扉の揺動を戸先側および吊元側の両方で規制することで、親扉のがたつきを効果的に抑えることができる。また、機械的に親扉の揺動のロックおよびアンロックを行うことができるので、グライドスライドドア装置を安価に構成することができる。
また、ソレノイドなどを用いて電気的に親扉の揺動のロックおよびアンロックを行う場合と異なり、電力の供給も不要となる。
【００１７】
（５）
上記したグライドスライドドア装置において、子扉および親扉が重なってアームにより閉方向にグライドし、子扉および親扉の仮想回転円の接線上に、子扉および親扉が位置する際に、親扉に開き方向の外力が加わっても親扉はその位置を保持させる従動アームをさらに含むものである。
【００１８】
上記構成によれば、揺動時の子扉および親扉の仮想回転円の接線上に、閉動作時に子扉および親扉が位置する際に、親扉に対して開き方向の外力、つまり親扉を全開させる方向にアームが回動させられるような外力が働いた場合であっても、従動アームにより親扉は開き方向の動きが規制されるので、その後の閉動作は妨げられない。
仮に、従動アームが設けられない状態で、子扉および親扉の仮想回転円の接線上に、閉動作時に子扉および親扉が位置し、親扉に開き方向の外力が加わった場合、子扉は閉じ方向に動いているのに、親扉は開き方向に動き、扉が開閉できなくなるというデッドロック状態が発生する。本発明においては、当該デッドロックを確実に防止することができる。
【００１９】
（６）
上記したグライドスライドドア装置において、ドアハンガには、ベルト方式、ワイヤ方式、ラックアンドピニオン方式、ボールスクリュー方式およびリニアモータ方式のいずれかの自動ドア開閉装置の駆動力が伝達される。
【００２０】
上記構成によれば、一般的な引戸の自動ドア開閉装置を用いて、グライド動作とスライド動作をするグライドスライドドア装置を容易に自動開閉させることができる。
【００２１】
（７）
上記したグライドスライドドア装置において、自動ドア開閉装置とドアハンガとは、戸先側にオフセットした位置で連結される。
【００２２】
上記構成によれば、自動ドア開閉装置とドアハンガとが接近するように奥行き方向にコンパクト化を図る場合において、子扉のグライドに伴いドアハンガが開口端部近傍に近接し、自動ドア開閉装置に近接する場合でも、連結部分が戸先側にオフセットされているので、自動ドア開閉装置とドアハンガとが干渉するのを防止することができる。これにより、自動ドア開閉装置が付加されたグライドスライドドア装置を開口幅内に納めることができる。
【００２３】
（８）
上記したグライドスライドドア装置において、親扉には、子扉をガイドする第１ガイド部が、当該親扉の戸先側に設けられ、子扉には、親扉をガイドする第２ガイド部が、当該子扉の戸尻側に設けられる。
【００２４】
上記構成によれば、親扉および子扉がグライドするときに、親扉と子扉とが接触するのを防止することができる。
【００２５】
（９）
上記したグライドスライドドア装置において、子扉の下端部には、脱着可能な第３ガイド部がさらに設けられ、子扉の進行方向に沿って、第３ガイド部を保持する第３レールが設けられたものである。
【００２６】
この場合、子扉の移動をぶれなく円滑に行うことができるとともに、第３ガイド部を脱着することができるので、第３ガイド部が磨耗した場合でも、容易に第３ガイド部を交換することができる。
【発明の効果】
【００２７】
本発明に係るグライドスライドドア装置によれば、扉体ユニットからなるグライドスライドドア装置のコンパクト化を図ることができる。
【図面の簡単な説明】
【００２８】
【図１】本発明の一実施形態に係るグライドスライドドア装置の全体構成の一例を示した正面図である。
【図２】図１に示したグライドスライドドア装置１の（ａ）全閉状態、（ｂ）子扉開状態、（ｃ）全開状態、の一例を示した正面図である。
【図３】図１に示したグライドスライドドア装置１の（ａ）全閉状態、（ｂ）子扉開状態、（ｃ）グライド状態、（ｄ）全開状態、の一例を示した平面図である。
【図４】無目内の詳細構造の一例を示した内部透視図である。
【図５】直動レールおよび傾斜レールの一例を示した平面図である。
【図６】親扉および子扉の内部構造の一例を示した内部透視図である。
【図７】ガイドシューの構造の一例を示す模式図である。
【図８】ガイドシューの交換時の説明を行う模式的工程図である。
【図９】ガイドシューの交換時の説明を行う模式的工程図である。
【図１０】戸先ロック機構の一例を説明するための模式図である。
【図１１】吊元ロック機構の一例を示す模式的平面図である。
【図１２】本実施の形態における傾斜レールの詳細構造を説明するための模式図である。
【発明を実施するための形態】
【００２９】
以下、本発明の一実施形態に係るグライドスライドドア装置について図面を参照しながら説明する。
【００３０】
＜グライドスライドドア装置の全体構成＞
図１は、本発明の一実施形態に係るグライドスライドドア装置１の全体構成の一例を示した正面図であり、図２は、図１に示したグライドスライドドア装置１の（ａ）全閉状態（開口部がすべて閉鎖されている状態）、（ｂ）子扉開状態（子扉１０がスライド移動可能な範囲で全開方向に最大限移動している状態。以後、中間開状態ともいう。）、（ｃ）全開状態（子扉１０および親扉２０が全開方向に完全にスライド移動およびグライド移動した状態）、の一例を示した正面図である。
また、図３は、図１に示したグライドスライドドア装置１の（ａ）全閉状態、（ｂ）子扉開状態、（ｃ）グライド状態（親扉と子扉がグライド移動している状態）、（ｄ）全開状態、の一例を示した平面図である。なお、図３では、グライドスライドドア装置１の一方側（図１の左側）の構造のみを図示している。
【００３１】
図１に示すように、本実施形態に係るグライドスライドドア装置１は、主として、一対の子扉１０および親扉２０と、を備えている。グライドスライドドア装置１は、一対の子扉１０および親扉２０が左右対称に動作する両開きのグライドスライドドア装置である。
すなわち、それぞれ子扉１０が親扉２０に重なるようにスライドすると共に、重ねられた親扉２０および子扉１０が共にグライドする。
【００３２】
なお、上記した「スライド」とは、子扉１０が後述するＲ１の方向（図３参照）へ回転せずに、ドア幅方向（矢印Ｘ方向）に沿って移動することを言う。また、上記した「グライド」とは、子扉１０及び親扉２０が後述するＲ１の方向（図３参照）へ回転しながら支持アーム２１により揺動することを言う。
また、上記した子扉１０と親扉２０とが重なるとは、子扉１０のスライド（矢印Ｘ方向への移動）が略終了した状態であり、子扉１０と親扉２０との略全体が重ねられた状態を言う。
【００３３】
以下、具体的に説明を行う。まず、図２（ａ）および図３（ａ）に示すように、本実施形態のグライドスライドドア装置１の全閉状態は、親扉２０および子扉１０により閉じられた状態である。
そして、図２（ｂ）および図３（ｂ）に示すように、本実施形態のグライドスライドドア装置１の子扉開状態は、子扉１０が親扉２０に重なるように矢印Ｘ１方向にスライドした状態である。
【００３４】
そして、親扉２０と子扉１０とが重ねられた状態の後、図３（ｃ）に示すように、支持アーム２１が揺動（矢印Ｒ１の方向）して、重ねられた状態の親扉２０および子扉１０をグライドさせる。
最後に、図２（ｃ）および図３（ｄ）に示すように、支持アーム２１が揺動（矢印Ｒ１の方向）を完了して、重なった状態の親扉２０および子扉１０が壁面Ｗに沿うように配置される。その結果、人が通行可能な間口Ｆが形成される（全開状態）。
【００３５】
なお、広い間口Ｆが不要な場合等は、図２（ｂ）および図３（ｂ）に示したように、子扉１０および親扉２０がグライドせずに、子扉１０のみがスライドして、親扉２０と重なる状態（子扉開状態）にしてもよい。その結果、例えば病院などにおいて、必要なときはストレッチャーが通過可能な開口幅を確保でき、通常時は院内感染防止のため、間口Ｆを必要最小限にして、空気の自由な流れをある程度阻害することができる。
【００３６】
以下、図３と同様に、図１の中心線Ｃより一方側の構造についてのみ説明する。中心線Ｃより他方側の構造の説明については、当該一方側の構造と略対称であるので、省略する。
【００３７】
続いて、図４は、無目３０内の詳細構造の一例を示した内部透視図であり、図５は、直動レールおよび傾斜レールの一例を示した平面図であり、図６は、親扉２０および子扉１０の内部構造の一例を示した内部透視図である。
【００３８】
まず、図４に示すように、このグライドスライドドア装置１の無目３０内には、主に、ドアハンガ４０と、戸先ロック機構５０と、自動ドア開閉装置６０とを備え、子扉１０と親扉２０内にはガイド構造７０（図６参照）を備えている。
【００３９】
＜ガイド構造７０＞
また、本実施形態では、子扉１０と親扉２０とが互いに干渉しないように、ガイド構造７０が設けられている。このガイド構造７０は、図６に示すように、親扉２０に設けられる第１ガイド構造７２と、子扉１０に設けられる第２ガイド構造７１とを有している。ガイド構造７０は、それぞれレールおよび鉛直方向を軸方向として回転するローラからなる。
第１ガイド構造７２のローラの固定位置は、親扉２０の戸先側かつ上部側に設けられており、ローラにより子扉１０の移動をガイドする。この第１ガイド構造７２のレールは、子扉１０にスライド方向（矢印Ｘ方向）に沿って設けられている。第２ガイド構造７１のローラの固定位置は、子扉１０の戸尻側かつ上部側に設けられており、ローラにより子扉１０をガイドする。
この第２ガイド構造７１のレールは、親扉２０にスライド方向（矢印Ｘ方向）に沿って設けられている。
【００４０】
＜無目３０＞
図４に示すように、無目３０は、自動ドア開閉装置６０などを収容可能な箱型形状となっている。無目３０の内部には、ドア幅方向（矢印Ｘ方向（図１参照））に沿って横梁３０Ａが固定されている（図１参照）。
図４に示すように、この横梁３０Ａの上面には、直動レール３１と、直動用ガイドレール３２と、が設けられると共に、横梁３０Ａの下面には、傾斜レール３３が設けられる。
【００４１】
また、横梁３０Ａの上面には、Ｌ字片３４が固定されている。このＬ字片３４には、後述する踊り止めローラ４７の上端が当接する鍔部３５が設けられている。
【００４２】
ここで、本実施形態において、直動レール３１は、後述する直動用ガイドレール３２と同様に、ドア幅方向（図１の矢印Ｘ方向）に直線的に延在して設けられる。この直動レール３１は、後述するドアハンガ４０に設けられる荷重支持ローラ４６が走行するレールであって、当該荷重支持ローラ４６の下面を支持している。
【００４３】
また、本実施形態では、図５に示すように、直動用ガイドレール３２は、直動レール３１と同様に、ドア幅方向（図１の矢印Ｘ方向）に直線的に延在して設けられる。この直動用ガイドレール３２は、後述するドアハンガ４０を直線的に移動させるために設けられている。
【００４４】
これに対して、傾斜レール３３は、図５に示すように、平面的に見て、直動レール３１及び直動用ガイドレール３２に交差するように、湾曲して設けられる。そして、この傾斜レール３３は、親扉２０および子扉１０を一体に揺動（グライド）させるために設けられている。
図４に示すように、直動用ガイドレール３２および傾斜レール３３は、共に断面コの字形状であって、直動用ガイドレール３２は、鉛直上側が開口し、傾斜レール３３は、鉛直下側が開口している。
【００４５】
＜ドアハンガ４０＞
本実施形態においてドアハンガ４０は、子扉１０を回転可能に吊り下げるために、子扉１０の戸先側近傍に設けられている。なお、本実施の形態におけるドアハンガ４０は、後述する支持アーム２１の先端部（回転軸２３）よりも子扉１０の戸先側に設けられていればよい。
【００４６】
このドアハンガ４０は、無目３０内に収容されており、上記した横梁３０Ａを回り込むように断面コの字状に形成されている。すなわち、ドアハンガ４０は、横梁３０Ａの上方に配置される上側片４１ａと、横梁３０Ａの下方に配置される下側片４１ｂと、上側片４１ａと下側片４１ｂとを連結する連結片４１ｃと、を有している。
また、下側片４１ｂの下面には、後述するドアハンガ４０のローラ押板４２に連結する連結部材４３が固定されている。そして、ドアハンガ４０の上側片４１ａの下面には、上記した直動用ガイドレール３２に沿って走行するガイド用戸車４４が回転可能に取り付けられている。
【００４７】
本実施形態では、ガイド用戸車４４は、直動用ガイドレール３２の両側壁により、当該ガイド用戸車４４の進行方向（ドア幅方向：矢印Ｘ方向）の両側で支持可能にされる。このガイド用戸車４４は、鉛直方向を回転軸方向として回転する。
【００４８】
そして、本実施形態では、ドアハンガ４０の上側片４１ａには、ローラ支持片４５が固定されている。このローラ支持片４５には、荷重支持ローラ４６および踊り止めローラ４７が回転可能に取り付けられている。
この荷重支持ローラ４６および踊り止めローラ４７は、隣接して配置されている。荷重支持ローラ４６および踊り止めローラ４７の回転軸は同軸であり、共に通路方向（矢印Ｙ方向）を回転軸方向として回転する。
【００４９】
本実施形態では、荷重支持ローラ４６は、子扉１０の回転軸１１線Ｌ上に配置される。そして、荷重支持ローラ４６は、ドアハンガ４０に加わる鉛直下向きの力Ｆを支持するように、横梁３０Ａに固定される直動レール３１に当接する。
【００５０】
一方、踊り止めローラ４７は、回転軸１１線Ｌに対してドアハンガ４０の反対側に配置される。そして、踊り止めローラ４７は、子扉１０を持ち上げるような鉛直上向きの力を支持するように、上記したＬ字片３４の鍔部３５に当接する。さらに、このような構成であるため、ドアハンガ４０を回転させる鉛直上向きのモーメントＭを支持することも可能である。
【００５１】
また、ドアハンガ４０の下側片４１ｂおよび連結部材４３には、ベアリング４８を介して、子扉１０の回転軸１１が取り付けられている。また、ドアハンガ４０の連結部材４３には、後述する戸先ロック機構５０に当接するローラ押板４２が取り付けられている。ローラ押板４２の構造および動作については、後述する。さらに、ドアハンガ４０の下側片４１ｂには、後述するグライドフォロアに接触するグライドフォロア用のローラ１４０が取り付けられている。
【００５２】
＜子扉１０＞
図３に示すように、子扉１０は、親扉２０に重なるようにスライド移動すると共に、親扉２０に重なった後には親扉２０と共にグライドする。図４に示すように、子扉１０は、ドアハンガ４０に回転可能に吊り下げられている。また、子扉１０の回転軸１１には、揺動用連結アーム１２が取り付けられている。
【００５３】
揺動用連結アーム１２は、上述したように一方端部側に回転軸１１が連結されると共に、他方端部側に傾斜レール３３を走行する揺動用戸車１３が回転可能に取り付けられている。
揺動用連結アーム１２は、傾斜レール３３が湾曲して配置されることにより、揺動用戸車１３が移動し、揺動用連結アーム１２が回動して子扉１０が揺動される。
【００５４】
＜子扉１０のガイドシュー８０およびガイドレール８９＞
図７は、ガイドシュー８０の構造の一例を示す模式図であり、図８および図９は、ガイドシュー８０の交換時の説明を行う模式的工程図である。図７（ａ）は平面を示し、図７（ｂ）は側面を示す。
【００５５】
図７（ａ），（ｂ）に示すように、子扉１０の下部には、ガイドシュー８０が設けられる。ガイドシュー８０は、主に上下逆Ｔ状の板材８１および当該板材８１の表裏面に貼り付けられた摺動用テープ８２からなる。板材８１の凸部には、半円状の切り欠き８５および孔８６ａ，８６ｂが設けられる。
【００５６】
＜ガイドシュー８０の取り付け工程＞
図８に示すように、ガイドレール８９内にガイドシュー８０を挿入する。この場合、ガイドシュー８０は、ガイドレール８９内の底８９ｂに着地した状態となる。そして、ガイドシュー８０を斜めにして子扉１０の下部に鉛直軸周りに回動可能な軸部材８７の下端に設けられたピン８７ａ，８７ｂに、ガイドシュー８０の孔８６ａ，８６ｂを挿入する。
【００５７】
そして、子扉１０の下部の軸部材８７に取り付けられるボルトＢに対して、半円状の切り欠き８５を接触させ、図９に示すように、ボルトＢを締結することにより、ガイドシュー８０が軸部材８７に固定される。この場合、ガイドシュー８０は、ガイドレール８９の底８９ｂから浮いた状態で固定される。
【００５８】
その結果、子扉１０の移動時にガイドシュー８０がガイドレール８９の底８９ｂから浮いた状態でガイドレール８９内を移動するので、子扉１０のＹ方向のがたつきをなくすことができるとともに、摩擦抵抗の増加も防止できる。また、軸部材８７が回動可能であるため、子扉１０が親扉２０とともにグライドする場合であっても、ガイドレール８９内を円滑に移動し、子扉１０のがたつきを防止することができる。
【００５９】
＜親扉２０＞
親扉２０は、図６に示すように、スライドした子扉１０を重ねて保持可能に構成される。したがって、図３に示したように、親扉２０は、子扉１０が略重れられたときに、子扉１０と共にグライドすることが可能となる。
【００６０】
親扉２０および子扉１０のグライドは、図３（ｃ）および（ｄ）に示すように、親扉２０の上部および下部に設けられる支持アーム２１により実現される。この支持アーム２１による親扉２０および子扉１０のグライドは、後述する戸先ロック機構５０および吊元ロック機構５１によりロックまたはアンロックされる。
また、親扉２０には、スライド片２４が設けられ、子扉１０にはスライドレール部１５が設けられる。スライドレール部１５には、親扉２０に設けられたスライド片２４が図中奥行き方向（図１のＸ方向）に移動可能に設けられる。
【００６１】
また、親扉２０および子扉１０には、第１ガイド構造７２および第２ガイド構造７１が設けられ、がたつきをなくすことができる。
【００６２】
＜支持アーム２１＞
図３に示す支持アーム２１は、親扉２０および子扉１０をグライドさせるために設けられている。支持アーム２１の基端部は、回転可能に支持されている。これにより、支持アーム２１の先端部（回転軸２３）が矢印Ｒ１方向(図３参照)およびその逆方向に揺動する。この支持アーム２１の先端部（回転軸２３）には、親扉２０が回転可能に取り付けられている。
【００６３】
＜自動ドア開閉装置６０＞
図１または図４に示す自動ドア開閉装置６０は、子扉１０及び親扉２０を移動（スライド、グライド）させるために設けられている。自動ドア開閉装置６０は、ベルト駆動方式であって、駆動力がドアハンガ４０に伝達されて、子扉１０および親扉２０が移動される。
【００６４】
自動ドア開閉装置６０は、図１および図４に示すように、例えばＤＣブラシレスモータを用いた駆動源となるドアエンジン６１と、当該ドアエンジン６１の駆動を制御するドアエンジン用コントローラ６２と、プーリロック６３と、当該プーリロック６３の駆動を制御するプーリロック用コントローラ６４と、を有している。
ドアハンガ４０は、ドアエンジン６１の駆動プーリ（図示せず）と、従動側であるプーリロック６３のプーリ６５と、に架け渡された歯付ベルト６６に連結されている。
【００６５】
本実施形態では、プーリロック６３とドアハンガ４０とが干渉しないように、プーリロック６３とドアハンガ４０とは、戸先側にオフセットした位置で連結されている。
具体的には、ドアハンガ４０には、戸先側に延びるベルト固定用延在片６７が設けられており、当該ベルト固定用延在片６７の先端に歯付ベルト６６が固定されている。なお、中心線Ｃ（図１参照）より他方側では、ドアエンジン６１とドアハンガ４０とが干渉しないように、ドアエンジン６１とドアハンガ４０との連結部分は、戸先側にオフセットした位置に設けられている。
【００６６】
＜戸先ロック機構５０＞
図１０は戸先ロック機構５０の一例を説明するための模式図である。
図１０（ａ）は子扉１０および親扉２０の全閉状態を示し、図１０（ｂ）は子扉１０が親扉２０へスライド移動を完了する直前を示し、図１０（ｃ）は子扉１０が親扉２０へスライド移動を完了した状態を示す。
【００６７】
図１０（ａ）に示すように、子扉１０の上部には、戸先ロック機構５０を有する。
戸先ロック機構５０は、下方傾斜面４２ｃを有するローラ押板４２、および親扉２０の上部に設けられた戸先ロック板構造１１０からなる。
戸先ロック板構造１１０は、親扉２０のロックローラ１１１、アンロックローラ１１２、親扉２０の上部孔２５（図１１参照）、上部孔２５内の金属片２７に係止する係止部材１１３、軸１１４を有する。
軸１１４は、戸先ロック板構造１１０のロックローラ１１１およびアンロックローラ１１２の間に設けられる。
【００６８】
まず、図１０（ａ）に示すように、子扉１０が全閉状態の場合、戸先ロック機構５０のドアハンガ４０が子扉１０の戸先側に位置する。
続いて、図１０(ｂ)に示すように、ドアハンガ４０が親扉２０の戸先側、すなわち矢印Ｘの方向に移動する。
その場合、戸先ロック板構造１１０の親扉２０のアンロックローラ１１２にローラ押板４２の下方傾斜面４２ｃが接触する。
【００６９】
続いて、図１０（ｃ）に示すように、子扉１０が親扉２０に重ねられた際、ドアハンガ４０のローラ押板４２が戸先ロック板構造１１０のアンロックローラ１１２を押し上げる。
その結果、戸先ロック機構５０の軸１１４を中心に、戸先ロック板構造１１０が矢印Ｒの方向に回動し、戸先ロック板構造１１０の係止部材１１３が親扉２０の上部孔２５から抜出され、親扉２０のグライド移動をアンロックすることができる。
【００７０】
また、この際、軸１１４を中心に、戸先ロック板構造１１０が矢印Ｒの方向に回動するので、戸先ロック板構造１１０に取り付けられた連結棒１１５が子扉１０の戸先側、すなわち矢印Ｘ２の方向に移動する。
その結果、連結棒１１５がＸ２の方向に移動することにより、後述する親扉２０の吊元ロック機構５１がアンロックされる。
【００７１】
＜吊元ロック機構５１＞
図１１は吊元ロック機構５１の一例を示す模式的平面図である。
図１１（ａ）は、子扉１０および親扉２０が全閉状態の状態を示し、図１１（ｂ）は、子扉１０がスライドした状態を示し、図１１（ｃ）は、子扉１０および親扉２０がグライド移動した状態を示し、図１１（ｄ）は、子扉１０および親扉２０が全開状態の状態を示す。また、傾斜レール３３の中央部３３Ｃ（破線）で示す。
【００７２】
＜（１）子扉１０のスライド＞
まず、全閉状態において、図１１（ａ）に示すように、子扉１０は、親扉２０と実質的に重ならない位置に配置されている。なお、子扉１０を吊り下げるドアハンガ４０は、子扉１０の幅方向（矢印Ｘ方向）の中央より戸先側に設けられている。なお、ドアハンガ４０に設けられるガイド用戸車４４は、直動用ガイドレール３２内に配置されていると共に、ドアハンガ４０に設けられる揺動用戸車１３は、傾斜レール３３内に配置されている。そして、荷重支持ローラ４６は、直動レール３１上に配置されている。
【００７３】
そして、ドアエンジン６１が駆動されると、歯付ベルト６６が駆動して、当該歯付ベルト６６に連結されるドアハンガ４０が移動する。これにより、ドアハンガ４０に設けられる荷重支持ローラ４６及びガイド用戸車４４は、それぞれ直動レール３１及び直動用ガイドレール３２を走行し、ドアハンガ４０が矢印Ｘ１方向に直線的に移動する。
このとき、揺動用戸車１３は、傾斜レール３３の直線部を走行するので、子扉１０の回転軸１１に対して揺動用戸車１３の位置が変化しない。なお、子扉１０がスライド動作からグライド動作に切り替わる直前の位置である中間開の位置では、揺動用戸車１３は傾斜レール３３の曲線部にわずかに進入（例えば５ミリメートル程度）するが、揺動用戸車１３と傾斜レール３３との間にはわずかな隙間（例えば０．３ミリメートル程度）が設けられており、曲線部であっても、実質的には直線的に移動することができる。このため、子扉１０は回転しない。つまり、中間開の位置まで、揺動用戸車１３が傾斜レール３３の直線部およびわずかに進入した曲線部を走行している間、子扉１０はスライドする。そして、子扉１０と親扉２０とが重なった状態となる。
【００７４】
＜（２）子扉１０および親扉２０のグライド＞
揺動用戸車１３が傾斜レール３３の直線部を走行した後、曲線部に大きく突入すると、子扉１０および親扉２０がグライドする。
子扉１０と親扉２０とが重なった後においても、ドアハンガ４０に設けられる荷重支持ローラ４６及びガイド用戸車４４の各々は、変わらず直動レール３１及び直動用ガイドレール３２を走行するので、ドアハンガ４０が矢印Ｘ１方向に直線的に移動する。
一方、揺動用戸車１３は、図１１（ｂ）および図１１（ｃ）に示すように、傾斜レール３３の曲線部を走行するので、子扉１０の回転軸１１に対して揺動用戸車１３が揺動する。これに伴って、子扉１０が回転軸１１を中心に矢印Ｒ１方向に回転する。そして、子扉１０の回転に伴って、親扉２０も支持アーム２１の先端の回転軸２３を中心に矢印Ｒ１方向に回転する。
【００７５】
そして、ドアハンガ４０がさらに直動レール３１及び直動用ガイドレール３２に沿って走行すると、親扉２０および子扉１０の各々が回転軸２３および回転軸１１を中心に更に回転する。
この際、子扉１０および親扉２０を外側に持ち出す力が発生し、支持アーム２１が矢印Ｒ１方向に回転して、その先端部（回転軸２３）を揺動させる。これにより、図１１（ｄ）に示すように、全閉状態から約９０°回転した子扉１０および親扉２０が、壁面に沿うように配置される。その結果、大きな間口Ｆが形成される。
【００７６】
続いて、図１１に示した親扉２０の吊元ロック機構５１について説明を行う。吊元ロック機構５１は、連結棒１１５、鉛直回転軸１１６、ロック片１１７を含む。また、吊元ロック機構５１は、支持アーム２１の動作と連動するロック片受け部９８を含む。
【００７７】
以下、子扉１０のスライド移動と、子扉１０および親扉２０のグライド移動とについて順に説明しつつ、吊元ロック機構５１の動作を説明する。
【００７８】
まず、図１１（ａ）に示すように、ドアハンガ４０が子扉１０の戸先側にある場合、吊元ロック機構５１のロック片受け部９８は、ロック片１１７と嵌合する。すなわち、吊元ロック機構５１がロック状態となる。
また、戸先ロック板構造１１０の上部孔２５内の金属片に係止部材１１３が係止される。この場合、親扉２０の吊元側と戸先側とがいずれも固定される。
【００７９】
続いて、図１１（ｂ）に示すように、子扉１０が親扉２０に重ねられ、ドアハンガ４０のローラ押板４２が戸先ロック板構造１１０のアンロックローラ１１２を押し上げた場合、上述するように、連結棒１１５が矢印Ｘの方向に移動する。
その結果、ロック片受け部９８からロック片１１７が水平面内を移動して、抜出される。すなわち、吊元ロック機構５１がアンロック状態となる。
【００８０】
吊元ロック機構５１がアンロック状態となることで、親扉２０の吊元および戸先のいずれもが、固定されていない状態となり、グライド可能な状態になる。そして、図１１（ｃ）に示すように、支持アーム２１が矢印Ｒ１の方向に移動することにより、ロック片受け部９８も矢印Ｒ９８の方向に移動する。
【００８１】
最後に、図１１（ｄ）に示すように、支持アーム２１が矢印Ｒ１の方向に完全に移動される。なお、吊元ロック機構５１のロック状態からアンロック状態に移行する場合について説明したが、吊元ロック機構５１のアンロック状態からロック状態に移行する場合は、図１１（ｄ）から図１１（ａ）へ順に移行する状態となる。
【００８２】
＜グライドフォロア９０＞
続いて、図１１を用いて、グライドフォロア９０の構造について説明する。
グライドフォロア９０は、グライドフォロア部材９１、支持軸９２およびバネ部材９３を備える。グライドフォロア部材９１は、グライドフォロア用のローラ１４０に沿う湾曲部９１ｃｖを有する。
さらに、ロック片受け部９８を取り付けている支持アーム２１と一体で回転するレバー９５、レバー９５の開き側の面が当たり面となるレバー９５と同軸の動きをするレバー押さえ部材９６を有する。
【００８３】
レバー押さえ部材９６は、グライドフォロア部材９１の支持軸９２とは反対側の部材９７の先端で開方向の動きを抑えられている。
また、バネ部材９３は、グライドフォロア部材９１の位置を保持するためのものであり、図１１（ａ）に示した状態においては、自由長の状態である。
【００８４】
図１１（ｃ）に示した状態において、ドアハンガ４０のグライドフォロア用のローラ１４０が、グライドフォロア部材９１の湾曲部９１ｃｖと接触する。
この状態で、閉動作時に親扉２０に開方向の外力（図中矢印Ｆの方向）が加わると、力は回転軸２３、支持アーム２１、レバー９５を経て、レバー押さえ部材９６へと伝えられる。レバー押さえ部材９６は、部材９７の先端により開方向の動きを抑えられており、部材９７はローラ１４０で抑えられているので、親扉２０が動くことを防止できる。
【００８５】
仮に、グライドフォロア部材９１を設けない場合には、図１１（ｃ）に示す状態で、閉動作時に親扉２０に開方向の外力（図中矢印Ｆの方向）が加わると子扉１０は閉方向に動いているのに、親扉２０は開方向に動いてしまい、扉が開閉できなくなるといういわゆるデットロック状態が生じる。本実施の形態においては、グライドフォロア９０によりデッドロックの発生を確実に防止することができる。
【００８６】
次に、図１２は、本実施の形態における傾斜レール３３の詳細構造を説明するための模式図である。図１２（ａ）は本発明に係る傾斜レール３３の中央部３３Ｃを示し、図１２（ｂ）は、機構学的に決定される傾斜レール３３の中央部３３Ｋを示す。
【００８７】
図１２に示すように、傾斜レール３３の中央部３３Ｃおよび中央部３３Ｋは、第１直線部、曲線部、第２直線部とに大きく分類できる。
【００８８】
図１２（ｂ）に示すように、機構学的に決定される傾斜レール３３の中央部３３Ｋは、全開側から、中間開側に向かって、直線、曲率がＲ４２０の曲線、曲率がＲ３６０の曲線、曲率がＲ２３７の曲線、直線により形成される。
【００８９】
一方、図１２（ａ）に示すように、本実施の形態においては、傾斜レール３３の中央部３３Ｃは、全開側から、中間開側に向かって、直線、曲率がＲ４２０の曲線、曲率がＲ３６０の曲線、曲率がＲ２５５の曲線、直線により形成される。
【００９０】
すなわち、曲率Ｒ２３７よりも小さい曲率Ｒ２５５の曲線により中央部３３Ｃが形成されている。その結果、図１２（ａ）における曲線部は、約５ｍｍ程度全閉側から開始するように構成されている。
【００９１】
その結果、曲率Ｒ２３７の曲線よりも小さい曲率Ｒ２５５の曲線により傾斜レール３３を走行する揺動用戸車１３の動きをさらに緩やかに変化させることができる。
【００９２】
＜本実施形態のグライドスライドドア装置の特徴＞
本実施形態に係るグライドスライドドア装置１では、荷重支持ローラ４６を支持する直動レール３１が無目３０内に固定される横梁３０Ａに設けられるので、子扉１０の重量の一部を子扉１０先端近傍側の当該横梁３０Ａで保持することができる。
【００９３】
これにより、子扉１０の重量により生じる親扉２０への負荷、並びに、親扉２０及び子扉１０をグライドさせる支持アーム２１に加わる負荷（垂直荷重およびモーメント荷重）を小さくすることができる。これにより、親扉２０および支持アーム２１の強度を抑えることができるので、親扉２０および支持アーム２１のコンパクト化を図ることができる。その結果、グライドスライドドア装置１のコンパクト化を図ることが可能となる。
【００９４】
特に、子扉１０が親扉２０に対して突出している状態にあるときには、支持アーム２１に非常に大きなモーメントが加わることになるが、本実施形態によれば、子扉１０の重量の一部を子扉１０先端近傍側の横梁３０Ａで保持することができるので、支持アーム２１などに発生するモーメントの大きさが小さくなる。これにより、支持アーム２１などの強度を抑えることができるので、支持アーム２１のコンパクト化を図ることができる。
【００９５】
また、本実施形態に係るグライドスライドドア装置１では、戸先ロック機構５０および吊元ロック機構５１を設けることによって、親扉２０と子扉１０とが重なるまで、親扉２０がグライドせずに子扉１０がスライドして、親扉２０と子扉１０とが重ねられてから、親扉２０および子扉１０がグライドする。
【００９６】
つまり、親扉２０と子扉１０とが略重なるまでは、子扉１０のみがスライドするので、広い開口幅を必要としないときには、子扉１０のみをスライドさせることによって、単なる引戸として利用することができる。
【００９７】
また、本実施形態に係るグライドスライドドア装置１では、揺動用戸車１３が傾斜レール３３に沿って走行することによって、揺動用連結アーム１２に連結する子扉１０が自動的に揺動する。そうすると、子扉１０の揺動に伴って親扉２０も揺動する。すなわち、子扉１０をスライドさせるだけで、子扉１０および親扉２０を揺動させることが可能となる。
【００９８】
また、本実施形態に係るグライドスライドドア装置１では、リンク機構の戸先ロック機構５０および吊元ロック機構５１を設けることにより、簡素な構成で子扉１０および親扉２０の揺動のロックおよびアンロックを行うことができる。その結果、グライドスライドドア装置１を安価に構成することができる。さらに、親扉２０の戸先側および吊元側の両方で規制することで、親扉２０のがたつきを効果的に抑えることができる。
また、ソレノイドなどを用いて電気的に親扉２０の揺動のロックおよびアンロックを行う場合と異なり、電力の供給も不要となる。
【００９９】
また、本実施の形態においては、直線部から曲線部へ移行する位置が、各部材間の隙間、例えば傾斜レール３３と揺動用戸車１３との間の隙間を無視した場合における、機構学的に定まる位置よりも戸先側に設けられている。そのため子扉１０を揺動させるために機構学的に定まる円弧よりも大きな円弧に沿って子扉１０を揺動させることができる。その結果、子扉１０の移動する曲率が小さくなり、子扉１０および親扉２０の揺動が緩やかになり、揺動時の衝撃音等の発生を抑制し、子扉１０および親扉２０の揺動を円滑に行うことができる。さらに実際には各部材間、例えば傾斜レール３３と揺動用戸車１３との間にはわずかながら隙間が存在するため、子扉１０のスライド動作時においても、例えば傾斜レール３３と揺動用戸車１３とが干渉するなど悪影響を与えることがない。
【０１００】
また、揺動時の子扉１０および親扉２０の仮想回転円の接線上に、子扉１０および親扉２０が位置する際に、子扉１０および親扉２０に対して外力が働いた場合であっても、グライドフォロア９０により傾斜レール３３を走行する揺動用戸車１３を本来の移動方向に移動させることができ、子扉１０および親扉２０を本来の移動方向に移動させることができる。
また、揺動時の子扉１０および親扉２０の仮想回転円の接線上に、閉動作時に子扉１０および親扉２０が位置する際に、子扉１０および親扉２０に対して開方向の外力（図１１（ｃ）の矢印Ｆ）が働いた場合であっても、グライドフォロア９０により扉は閉方向に動いているのに、親扉２０が開方向に動くことがなく、いわゆるデットロック状態となることはない。
【０１０１】
また、本実施形態に係るグライドスライドドア装置１では、戸先ロック機構５０および吊元ロック機構５１が設けられることにより、ベルト駆動方式による一般的な引戸の自動ドア開閉装置６０を用いて、グライド動作とスライド動作をするグライドスライドドア装置１を容易に自動開閉させることができる。したがって、本実施形態では、汎用品である一般的な引戸の自動ドア開閉装置６０を用いることができるので、グライドスライドドア装置１のコストダウンを図ることができる。
【０１０２】
また、本実施形態に係るグライドスライドドア装置１では、自動ドア開閉装置６０とドアハンガ４０とが接近させて奥行き方向にコンパクト化を図る場合において、子扉１０のグライドに伴いドアハンガ４０が自動ドア開閉装置６０に近接する場合でも、連結部分が戸先側にオフセットされているので、自動ドア開閉装置６０とドアハンガ４０とが干渉するのを防止することができる。これにより、自動ドア開閉装置６０が付加されたグライドスライドドア装置を開口幅内に納めることができる。
【０１０３】
また、本実施形態に係るグライドスライドドア装置１では、親扉２０および子扉１０の戸先側かつ上部側に第１ガイド構造７２および第２ガイド構造７１を設けることにより、親扉２０および子扉１０がグライドするときに、親扉２０と子扉１０とが干渉するのを防止することができる。
【０１０４】
また、本実施形態に係るグライドスライドドア装置１では、子扉１０の戸先側かつ下部側にガイドシュー８０を設けることにより、子扉１０がスライドするときに、子扉１０を滑らかに移動させることができる。
【０１０５】
また、本実施形態に係るグライドスライドドア装置１では、ガイド用戸車４４が直動用ガイドレール３２によりその進行方向（矢印Ｘ方向）に対して両側で支持可能にされることによって、子扉１０のグライド時において、ガイド用戸車４４に通路方向（矢印Ｙ方向）の力が加わり難くなるので、ガイド用戸車４４が当該通路方向（矢印Ｙ方向）にガタつくのを防止することができる。
【０１０６】
その結果、スムーズにガイド用戸車４４を移動させることができるので、低負荷で確実に子扉１０をグライドさせることができる。
【０１０７】
また、本実施形態に係るグライドスライドドア装置１では、Ｌ字片３４および踊り止めローラ４７を設けることにより、子扉１０を持ち上げるような鉛直上向きの力が発生しても当該Ｌ字片３４および踊り止めローラ４７により当該力を支持し子扉１０が持ち上がることはないので、子扉１０を安定して移動させることができる。更に、子扉１０の荷重によりドアハンガ４０を回転させるモーメントＭが発生しても、当該Ｌ字片３４および踊り止めローラ４７により当該モーメントＭを支持し、ドアハンガ４０の回転を抑止することができる。
【０１０８】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【０１０９】
例えば、上記実施形態では、ベルト駆動方式の自動ドア開閉装置６０を搭載する例について説明したが、本発明はこれに限らず、ワイヤ方式、ラックアンドピニオン方式、ボールスクリュー方式およびリニアモータ方式のいずれの引戸用自動ドア開閉装置でも適用可能である。またエアシリンダなど電動モータ以外の駆動方式でも適用可能である。
【０１１０】
また、上記実施形態では、リンク機構の戸先ロック機構５０により支持アーム２１のロックおよびアンロックを行う例について説明したが、本発明はこれに限らず、カム機構などの機械的な機構により支持アーム２１のロックおよびアンロックを行っても良い。また、機械的な機構だけでなく、子扉１０またはドアハンガ４０の移動をセンサにより検知して、電気的に支持アーム２１のロックおよびアンロックを行っても良い。
【０１１１】
また、上記実施形態では、子扉１０および親扉２０が互いに遠ざかる両開きのグライドスライドドア装置１を開示したが、本発明はこれに限らず、片開き（子扉１０および親扉２０が各々１枚）のグライドスライドドア装置にも適用可能である。
【０１１２】
また、上記実施形態では、支持アーム２１を親扉２０の上側および下側の２カ所に設ける例について説明したが、本発明はこれに限らず、支持アーム２１は、親扉２０の上側のみに設けられても良いし、下側のみに設けられても良い。
【０１１３】
また、上記実施形態では、直動用ガイドレール３２によりガイド用戸車４４の進行方向の両側を支持する例について説明したが、本発明はこれに限らず、ガイド用戸車４４の進行方向の片側のみを支持しても良い。
【０１１４】
また、上記実施形態では、電気錠としてプーリロック６３を用いた例について説明したが、本発明はこれに限らず、プーリロック６３以外の錠手段を用いても良いし、錠手段を設けなくても良い。
【０１１５】
＜請求項の各構成要素と上記実施形態の各部との対応関係＞
上記実施形態においては、グライドスライドドア装置１が「グライドスライドドア装置」に相当し、親扉２０が「親扉」に相当し、子扉１０が「子扉」に相当し、支持アーム２１が「アーム」に相当し、無目３０が「無目」に相当し、横梁３０Ａが「横梁」に相当し、荷重支持ローラ４６が「第１戸車」に相当し、直動レール３１が「第１レール」に相当し、ドアハンガ４０が「ドアハンガ」に相当し、戸先ロック機構５０が「第１のロック機構」に相当し、吊元ロック機構５１が「第２のロック機構」に相当する。
【０１１６】
また、傾斜レール３３が「第２レール」に相当し、揺動用戸車１３が「第２戸車」に相当し、揺動用連結アーム１２が「揺動用連結アーム」に相当し、自動ドア開閉装置６０が「自動ドア開閉装置」に相当し、第１ガイド構造７２のローラが「第１ガイド部」に相当し、グライドフォロア９０が「従動アーム」に相当し、第２ガイド構造７１のローラが「第２ガイド部」に相当し、ガイドシュー８０が「第３ガイド部」に相当し、ガイド用戸車４４が「第３戸車」に相当し、直動用ガイドレール３２が「第３レール」に相当し、Ｌ字片３４および踊り止めローラ４７が「支持部」に相当する。
【符号の説明】
【０１１７】
１  グライドスライドドア装置
１０  子扉
１２  揺動用連結アーム
１３  揺動用戸車
２０  親扉
２１  支持アーム
３０  無目
３０Ａ  横梁
３１  直動用レール
３２  直動用ガイドレール
３３  傾斜レール
３４  Ｌ字片
４４  ガイド用戸車
４０  ドアハンガ
４６  荷重支持ローラ
４７  踊り止めローラ
５０  戸先ロック機構
５１  吊元ロック機構
６０  自動ドア開閉装置
７２  第１ガイド構造
７１  第２ガイド構造
８０  ガイドシュー
９０  グライドフォロア
【図１】
2014025248.tif 000003
【図２】
2014025248.tif 000004
【図３】
2014025248.tif 000005
【図４】
2014025248.tif 000006
【図５】
2014025248.tif 000007
【図６】
2014025248.tif 000008
【図７】
2014025248.tif 000009
【図８】
2014025248.tif 000010
【図９】
2014025248.tif 000011
【図１０】
2014025248.tif 000012
【図１１】
2014025248.tif 000013
【図１２】
2014025248.tif 000014